(57)【要約】【課題】特定の制御対象の機器本体に対し、本来その機器本体を制御すべきでない外部の制御信号によって制御されないようにすること。【解決手段】光伝送端本体１０と光伝送端本体２０は、その取り付け対象を異にするのみであるから、両端を同一構造とし、しかも、光伝送端本体１０と第１光伝送端本体２０は、ポータブルトイレ３０の受光部５０と遠隔操作器４０の発光部４１に取り付けることによって、外部からの光がポータブルトイレ３０の受光部５０に入り込む可能性がなくなり、受光部５０を有するポータブルトイレ３０が誤動作をする可能性がなくなる。また、通常では、ポータブルトイレ３０の受光部５０に光が到来しないポータブルトイレ３０の制御困難な位置からでも、ポータブルトイレ３０を制御できる。【選択図】図３
2007243785.tif 000002
【特許請求の範囲】
【請求項１】
遠隔操作器の発光部と機器本体の受光部との間に介装され、前記発光部から発せられた光信号を前記受光部に伝送する光結合制御装置において、
合成樹脂製の光ケーブルと、
前記光ケーブルの一端部が接続された第１導入部、前記発光部に接合されて前記光信号を導入する第１接合面及び前記光ケーブルの一端部と前記第１導入部との間に入射する光及び外来する光を遮断する第１光遮蔽部とからなる第１光伝送端本体と、
前記光ケーブルの他端部が接続された第２導入部、前記受光部に接合されて前記光信号を導出する第２接合面及び前記光ケーブルの他端部と前記第２導入部との間に入射する光及び外来する光を遮断する第２光遮蔽部とからなる第２光伝送端本体と
を具備することを特徴とする光結合制御装置。
【請求項２】
前記光信号は、赤外線としたことを特徴とする請求項１に記載の光結合制御装置。
【請求項３】
前記光ケーブルの一端部は、前記発光部と対向させたことを特徴とする請求項１または請求項２に記載の光結合制御装置。
【請求項４】
前記光ケーブルの他端部は、前記受光部と対向させたことを特徴とする請求項１乃至請求項３の何れか１つに記載の光結合制御装置。
【請求項５】
前記第１接合面と前記第２接合面は、夫々、前記発光部の面積及び／または前記受光部の面積が調整可能であることを特徴とする請求項１乃至請求項４の何れか１つに記載の光結合制御装置。
【発明の詳細な説明】
【技術分野】
【０００１】
本発明は、遠隔操作によって制御されるテレビ、簡易トイレ、空調機器等の機器本体とそのリモコン等の遠隔操作器との間の光通信を行う光ケーブルの用途に関するもので、特に、光信号を受信する対象の機器本体のみ制御する光結合制御装置に関するものである。
【背景技術】
【０００２】
一般に、この種の光結合制御装置は、遠隔操作器と、該遠隔操作器からの光信号を受信する光受信部に取り付けられ、該光受信部で受信した光信号を導く光ケーブルと、該光ケーブルによって導かれた光信号で操作される制御機器とを具備するものである。
【０００３】
具体的には、従来の光結合制御装置として特許文献１の発明がある。即ち、特許文献１の発明は、発光部材及び発光部材から延出された光ケーブル及び光ケーブルの先端に取り付けられた受光部材で構成されている。詳しくは、受光部材は、例えば、金属や樹脂等によって略円筒状に形成されると共に、先端側の内部に集光レンズが取り付けられている。集光レンズに向かって光信号を発信すると、この光信号が集光レンズによって集められ、光ケーブルに導かれる。光ケーブルは、一般的に使用されている可撓性の光ケーブルによって構成され、その内部で光をほとんど減衰させることなく伝えることができるようになっている。このため、受光部材からの光信号は、この光ケーブルを介して発光部材へ導かれる。発光部材は、例えば、金属や樹脂等によって略円錐状に形成されると共に、棒状の取り付け部が突出されている。取り付け部の先端には、キャビネットの取り付け孔よりも僅かに太くされた係合片が形成されており、取り付け部を取り付け孔に押しこむと、係合片を僅かに弾性変形させて挿入できる。そして、取り付け部が取り付け孔に完全に挿入された状態では、係合片が弾性復元し、取り付け部が取り付け孔から不用意に抜けないようになる。
【特許文献１】特開２００１−９５０７１
【発明の開示】
【発明が解決しようとする課題】
【０００４】
上記特許文献１において、発光部材がキャビネットに取り付けられた状態で、発光部材はキャビネットに対して傾斜した状態で受光窓に対向し、光ケーブル部材からの光を受光窓に向けて発信することが可能となるものである。上記特許文献１に記載の技術思想は、遠隔の場所、光が届き難い場所から光信号を送信する場合に使用できるが、対象の機器本体付近に複数の他の機器本体が設置されていると、他の遠隔操作器からの光信号を受信し、誤動作を回避することは困難である。そのような設置条件でなくとも、遠隔操作器からの光信号は、天井、壁、カーテン等で反射して傾斜した状態の受光窓に入射する可能性がある。特に、現在のテレビの遠隔操作器は、各メーカ毎に光信号を統一させているから、病院の入院病棟、高齢者施設、災害の避難所では、他の遠隔操作器信号を拾い、対象のテレビ等の機器本体が関係のない制御を行う可能性がある。
【０００５】
そこで、この発明はかかる不具合を解決するためになされたもので、特定の制御対象の機器本体に対し、本来その機器本体を制御すべきでない外部の制御信号によって制御されないようにした光結合制御装置の提供を課題とするものである。
【課題を解決するための手段】
【０００６】
請求項１にかかる遠隔操作器の発光部と機器本体の受光部との間に介装され、前記発光部から発せられた光信号を前記受光部に伝送する光結合制御装置は、合成樹脂製の光ケーブルの一端部が接続された第１導入部、前記発光部に接合されて前記光信号を導入する第１接合面及び前記光ケーブルの一端部と前記第１導入部との間に入射する光及び外来する光を遮断する第１光遮蔽部とからなる第１光伝送端本体と、前記光ケーブルの他端部が接続された第２導入部、前記受光部に接合されて前記光信号を導出する第２接合面及び前記光ケーブルの他端部と前記第２導入部との間に入射する光及び外来する光を遮断する第２光遮蔽部とからなる第２光伝送端本体とを具備するものである。
ここで、光信号を伝送する合成樹脂からなる光ケーブルは、ガラス系を除いた光ケーブルであればよく、仮に、素人がペンチ等で切断したとしても、発生する粉体が人体に危害が及ばない材料であればよいという趣旨である。また、受光部で受光した光信号によって内蔵機器を制御する機器本体は、光信号を受光部で受光する機能を有する電子機器等の搭載装置であればよい。そして、発光部を有する機械的入力を光信号に変換する遠隔操作器は、通常、リモコン、リモートコントローラ等と呼称されているもので、移動自在な１つの筐体に囲まれているか否かを問うものではなく、また、その形態を特定するものではない。機械的入力を光信号に変換する発光部を有するものであればよい。
更に、外部からの光の入射及び内部からの光の放射を阻止する光遮蔽部は、塗膜またはシボ、金属箔等を形成するもので、光信号として機器が誤動作しない程度の信号の漏洩、混信が生じない程度に光を遮断できればよい。また、光ケーブルの端部が接続された導入部は、光信号を受光部に導いたり、発光部から光信号を導いたりできるものであればよい。そして、光信号を導出または導入する接合面は、直接、機器本体の受光部と遠隔操作器の発光部に接着剤で接合してもよいし、両面テープで直接面を接合してもよいし、両面テープで接合面の周囲を接合してもよい。また、吸着盤、マグネット等とすることもできる。加えて、上記光伝送端本体は、前記導入部、接合面及び光遮蔽部を具備するものであればよい。
【０００７】
請求項２にかかる光結合制御装置の前記光信号は、赤外線としたものであり、近赤外線、遠赤外線を問うものではない。
【０００８】
請求項３にかかる光結合制御装置の前記光ケーブルの一端部は、前記発光部と対向させたものである。端部を発光部側に対向するものであればよく、光ケーブルの端部の方向を問うものではない。
【０００９】
請求項４にかかる光結合制御装置の前記光ケーブルの他端部は、前記受光部と対向させたものである。端部を受光部側に対向するものであればよく、光ケーブルの端部の方向を問うものではない。
【００１０】
請求項５にかかる光結合制御装置の前記第１接合面と前記第２接合面は、夫々、前記発光部の面積及び／または前記受光部の面積が調整可能である。この端部のサイズ調整は、順次接続して形成してもよいし、切断してそのサイズを小さくしてもよい。
【発明の効果】
【００１１】
請求項１にかかる発光部から発せられた光信号を前記受光部に伝送する光結合制御装置は、合成樹脂製の光ケーブルの一端部が接続された第１導入部、遠隔操作器の発光部に接合されて前記光信号を導入する第１接合面及び前記光ケーブルの一端部と前記第１導入部との間に外来する光を遮断する第１光遮蔽部とからなる第１光伝送端本体から、前記光ケーブルの他端部が接続された第２導入部、機器本体の受光部に接合されて前記光信号を導出する第２接合面及び前記光ケーブルの他端部と前記第２導入部との間に入射する光を遮断する第２光遮蔽部とからなる第２光伝送端本体に光信号を伝送するものである。
ここで、第１導入部及び第２導入部は光ケーブルの端部が接続された形態であり、第１接合面及び第２接合面は、遠隔操作器の発光部または機器本体の受光部に接合されて光信号を伝達するものであり、また、前記光ケーブルの端部と前記第１導入部との間に外来する光を遮断する第１光遮蔽部は外来する光り遮断のみはあり得ないことであり、入射する光を遮断することになるから、前記光ケーブルの端部と前記第２導入部との間に入射する光を遮断する第２光遮蔽部と等しい。したがって、第１光伝送端本体と第２光伝送端本体は互いに同じ特性を意味するものである。この第１光伝送端本体と第２光伝送端本体は、その取り付け対象を異にするのみであるから、両端を同一構造とすることができる。しかも、第１光伝送端本体と第２光伝送端本体は、遠隔操作器の発光部と機器本体の受光部に取り付けることによって、外部からの光が機器本体の受光部に入り込む可能性がなくなり、受光部を有する機器本体が誤動作をする可能性がなくなる。また、通常では、機器本体の受光部に光が到来しない機器本体の制御困難な位置からでも、機器本体を制御できる。
そして、光ケーブルは、合成樹脂からなる光信号を伝送するものであるから、素人がペンチ等で切断しても、その粉体の処理に危惧することがない。また、光ケーブルの長さを長くしても損失が少ないから、汎用性を持たせることができ、かつ、制御の信頼性を向上させることができる。
【００１２】
請求項２の光結合制御装置の前記光信号は、赤外線としたものであるから、請求項１の効果に加えて、光信号として赤外線を使用するものであるから、既存のリモコン装置に使用が可能であり、外部からの光の入射及び内部からの光の放射を阻止する表面処理が、廉価に選択できる。
【００１３】
請求項３にかかる光結合制御装置の前記光ケーブルの一端部は、前記発光部と対向させたものであるから、請求項１または請求項２の効果に加えて、端部を遠隔操作器の発光部または機器本体の受光部側に対向するものであるから、光の伝送効率をよくすることができる。
【００１４】
請求項４にかかる光結合制御装置の前記光ケーブルの他端部は、前記受光部と対向させたものであるから、請求項１乃至請求項３のいずれか１つの効果に加えて、端部を遠隔操作器の発光部または機器本体の受光部側に対向するものであるから、光の伝送効率をよくすることができる。
【００１５】
請求項５にかかる光結合制御装置の前記第１接合面と前記第２接合面は、夫々、前記発光部の面積及び／または前記受光部の面積が調整可能であるから、請求項１乃至請求項４のいずれか１つの効果に加えて、任意のサイズの前記遠隔操作器の発光部及び前記機器本体の受光部に取付けることができる。
【発明を実施するための最良の形態】
【００１６】
以下、本発明の実施の形態について、図面に基づいて説明する。
なお、図中、実施の形態１と同一符号及び同一記号は、実施の形態１の構成と同一機能部品または同種の機能部品または相当する部分を意味するものであり、実施の形態２以降では重複した説明を省略する。
［実施の形態１］
【００１７】
図１は本発明の実施の形態１における光結合制御装置の全体平面図（ａ）及び一部断面を有する正面図（ｂ）である。
図１において、光ケーブル１は、光信号を伝送する合成樹脂からなる芯線２の周囲に被覆３を有している。被覆３は伝送損失によって芯線２の周囲から漏れる光または逆に入光する光を遮断している。なお、本実施の形態で光信号を伝送する光ケーブル１を合成樹脂製としているのは、ガラス系を除いた光ケーブルのように、素人がペンチ等の工具で切断したときに粉体化し、肌に刺さるようなことのないようにするものである。即ち、光ケーブル１は人体に危害が及ばない材料であればよい。また、芯線２の被覆３は、光信号として機器が誤動作しない程度の信号の漏洩、混信が生じない程度に遮断できればよい。したがって、芯線２の周囲にシボ等を付したものであってもよい。
【００１８】
光伝送端本体１０（本実施の形態の第１光伝送端本体）の基体１１は、透明な合成樹脂からなり、全体が円柱状になっている。また、その基体１１の中央には、内部を中空にした孔である中空孔１２が形成されている。光ケーブル１の一端は、中空孔１２が形成されている基体１１にインサート成型され、芯線２の端部が中空孔１２の略中心部に位置している。即ち、芯線２の端部は、中空孔１２の略中心に位置しており、樹脂中に一体化していない。しかし、本発明を実施する場合には、芯線２の端部を基体１１の樹脂中に一体化させてもよい。本実施の形態では、光ケーブル１の芯線２の光伝送特性を低下させないために端部を樹脂中に一体化していないものである。特に、端部を基体１１の樹脂中で一体化すると、芯線２の端部で反射し、光の伝送効率が悪くなるものと、光が基体１１で分散するものとができるので、本発明者らは、芯線２の端部を開放したものであり、それによって特性のばらつきを少なくしている。なお、中空孔１２は、本実施の形態における光ケーブル１の一端部が接続された第１導入部を構成している。
【００１９】
光ケーブル１の被覆３は、クロスによって形成されているから、基体１１の成形の際に成形樹脂が繊維間に入り込み一体化できる。本実施の形態の基体１１の直径は、５〜３０ｍｍ程度、中空孔１２の直径が２〜１５ｍｍ程度である。この状態下では、中空孔１２の直径が形成する曲面が基体１１の光を集光したり、反射したりするように作用し、効率よく光信号を基体１１から光ケーブル１の芯線２に導いたり、光信号を芯線２から基体１１に導いたりすることができる。
【００２０】
また、基体１１の外周は、一面を除きスパッタリングによって表面処理として金属薄膜からなる光遮蔽部１３（本実施の形態の第１光遮蔽部）が形成されている。この光遮蔽部１３は、塗料による塗膜とすることができるし、２色成形によって着色樹脂として形成することもできる。また、シボを形成することによって、光が基体１１から外に出難くすることによって対応することもできる。何れにせよ、基体１１の表面の光遮蔽部１３の処理は、基体１１に光が出入りし難くなればよい。
【００２１】
基体１１の表面処理されていない一面は、接合面１５（本実施の形態の第１接合面）となっており、そこには両面テープ１４が接合されている。なお、図示の両面テープ１４は剥離紙を剥した状態を示したものである。両面テープ１４は中空孔１２の周囲に貼られている。なお、本実施の形態では、両面テープ１４を用いているが、両面テープ１４に代えて、接着剤を用いてもよいし、吸着盤、マグネット等とすることもできる。
【００２２】
一方、光ケーブル１の他端には、光伝送端本体２０（本実施の形態の第２光伝送端本体）が設けられる。基本的に、光伝送端本体２０は光伝送端本体１０と同一構造に形成される。光伝送端本体２０の基体２１は、透明な合成樹脂からなり、全体が円柱状になっており、その中央には、内部を中空にした中空孔２２が形成されている。光ケーブル１の他端は、中空孔２２が形成されている基体２１にインサート成型され、芯線２の他端部が中空孔２２の略中心線上に位置している。なお、中空孔２２は、本実施の形態における光ケーブル１の一端部が接続された第２導入部を構成している。
【００２３】
基体２１の外周は、一面を除きスパッタリングによって表面処理として金属薄膜からなる光遮蔽部２３（本実施の形態の第２光遮蔽部）が形成され、基体２１に光が出入りし難くなっている。また、基体２１の表面処理されていない一面は、接合面２５（本実施の形態の第２接合面）となっており、そこには両面テープ２４が接合されている。なお、図示の両面テープ２４は剥離紙を剥した状態を示したものである。両面テープ２４は中空孔２２の周囲に貼られているが、両面テープ２４が透明であれば、本発明を実施する場合には、中空孔２２を含む接合面２５の全面とすることもできる。
【００２４】
図２はポーダルトイレ及びその遠隔操作器の説明図で、図３は本発明の実施の形態１における光結合制御装置を使用したポーダルトイレ及びその遠隔操作器の説明図である。
本実施の形態の機器本体を構成するポータブルトイレ３０は、高齢者用のポータブル便器であり、移動自在な椅子形補助部材３５の台座プレート３２に対し、便器本体３１がその上面に、便座３３が便座支持本体３６の支軸を中心に開閉可能に設けられている。更に、後部上面にはタンク３４が設けられていて、その内部に洗浄水が収容されている。また、便器本体３１には、図示しない洗浄水を人体局部に向けて噴射し、局部を洗浄する洗浄ノズルが、便鉢の内方に向って突出可能な状態で設けられている。この洗浄ノズルは遠隔操作器４０の制御対象となっている。また、図示しない「便座の開閉」、「乾燥」、「ビデ」、「停止」、「洗浄強さ」等の制御情報が遠隔操作器４０の制御対象となっている。
図示のポータブルトイレ３０では、赤外線センサ３７が人体の着座を検出したとき、「乾燥」、「ビデ」、「停止」、「洗浄強さ」等の制御情報が取り入れられ、遠隔操作器４０からの到来信号によって、それらが機能するようになっている。
【００２５】
機器本体を構成するポータブルトイレ３０の受光部５０は、便座支持本体３６の後部に設けられ、表面は合成樹脂板からなり、内部にはホトトランジスタ等を有する赤外線を受光する回路構成となっている。また、遠隔操作器４０は、「便座の開閉」、「乾燥」、「ビデ」、「停止」、「洗浄強さ」等の制御情報の入力キー、ボリューム等を有し、その先端面には、内部に赤外線発光ダイオードを収容した発光部４１を有している。発光部４１の表面は合成樹脂板からなり、内部に赤外線を受光する回路基板が格納されている。
【００２６】
本実施の態様の光結合制御装置は、次のように使用される。
まず、図３のように、遠隔操作器４０の発光部４１に対して、それらの表面の合成樹脂板に光伝送端本体１０を両面テープ１４によって貼り付ける。また、ポータブルトイレ３０の受光部５０に対して、それらの表面の合成樹脂板に光伝送端本体２０を両面テープ２４によって貼り付ける。このとき、ポータブルトイレ３０の受光部５０の中心に基体２１の中空孔２２の中心線が、また、遠隔操作器４０の発光部４１の中心線に基体１１の中空孔１２が位置するように対向させる。
【００２７】
即ち、本実施の態様の光結合制御装置は、光信号を伝送する合成樹脂からなる光ケーブル１と、ポータブルトイレ３０等の機器本体の制御を行う光信号を出力する発光部４１を機械的入力を光信号に変換する遠隔操作器４０に取り付けられ、外部からの光の入射及び内部からの光の放射を阻止する処理を施し、発光部４１からの光信号を光ケーブル１の他端部に導入する接合面１５を有する光伝送端本体１０と、ポータブルトイレ３０等の内蔵機器を制御する機器本体の受光部５０に取り付けられ、外部からの光の入射及び内部からの光の放射を阻止する処理を施してなる光ケーブル１の端部から導入された光信号を受光部５０に放射する接合面２５を有する光伝送端本体２０を具備するものである。
【００２８】
ここで、光伝送端本体１０と光伝送端本体２０は、本実施の形態の第１導入部としての中空孔１２及び第２導入部としての中空孔２２は、光ケーブル１の端部が接続された形態であり、接合面１５及び接合面２５は、遠隔操作器４０の発光部４１または機器本体３０の受光部５０に接合されて光信号を入力または出力するものであり、光ケーブル１の端部と中空孔１２との間に外来する光を遮断する光遮蔽部１３と、光ケーブル１の端部と中空孔２２との間に入射する光を遮断する光遮蔽部２３は、互いに逆な同じ特性を意味するものであり、光伝送端本体１０と光伝送端本体２０は、その取り付け対象を異にするのみであるから、両端を同一構造とすることができる。即ち、光伝送端本体１０と光伝送端本体２０は、その取り付け対象を異にするのみであるから、両端を同一構造とし、光伝送端本体１０及び光伝送端本体２０からなる発光入出力器とすることができる。しかも、光伝送端本体１０と光伝送端本体２０は、ポータブルトイレ３０等からなる機器本体の受光部５０と遠隔操作器４０の発光部４１に取り付けることによって、外部からの光がポータブルトイレ３０等からなる機器本体の受光部５０に入り込む可能性がなくなり、受光部５０を有するポータブルトイレ３０等からなる機器本体が誤動作をする可能性がなくなる。また、通常では、ポータブルトイレ３０等からなる機器本体の受光部５０に光が到来しない機器本体の制御困難な位置からでも制御できる。
【００２９】
そして、光ケーブル１は、合成樹脂からなる光信号を伝送するものであるから、素人がペンチ等で切断しても、その粉体の処理に危惧することがない。また、光ケーブル１の長さを長くしても損失が少ないから、汎用性を持たせることができ、かつ、制御の信頼性を向上させることができる。
よって、特定の制御対象のポータブルトイレ３０等からなる機器本体に対し、本来のポータブルトイレ３０等からなる機器本体を制御すべきでない外部の制御信号によって制御されないようにすることができ、他のポータブルトイレ３０を動作させることがない。
【００３０】
このように、光伝送端本体１０と光伝送端本体２０は、その取り付け対象を異にするのみであるから、両端を同一構造とし、しかも、光伝送端本体と第１光伝送端本体は、ポータブルトイレ３０、テレビ等の機器本体の受光部５０と遠隔操作器４０等の遠隔操作器の発光部４１に取り付けることによって、外部からの光がポータブルトイレ３０、テレビ等の機器本体の受光部５０に入り込む可能性がなくなり、受光部５０を有するポータブルトイレ３０、テレビ等の機器本体が誤動作をする可能性がなくなる。また、通常では、ポータブルトイレ３０、テレビ等の機器本体の受光部５０に光が到来しない前記機器本体の制御困難な位置からでも、ポータブルトイレ３０、テレビ等の機器本体を制御できる。
【００３１】
［実施の形態２．３］
上記実施の形態１では、光伝送端本体１０の接合面１５と光ケーブル１の基体１１に対する配線方向が平行する形態のものであるが、本発明を実施する場合には、光伝送端本体１０の接合面１５と光ケーブル１の端部の基体１１に対する交点の角度が直角のものの方が、光の伝送効率がよい。図５及び図６はその例である。
図４は本発明の実施の形態２における光結合制御装置の光伝送端本体を形成する基体の平面図（ａ）及び一部断面を含む正面図（ｂ）、図５は本発明の実施の形態３における光結合制御装置の光伝送端本体を形成する基体の平面図（ａ）及び一部断面を含む正面図（ｂ）である。
【００３２】
図４に示す光伝送端本体６０の基体６１は、光ケーブル１の芯線２及び被覆３を接着剤で接合して一体化するものである。そのため、基体６１の中心線の位置には、芯線２を接合する中空孔６２、被覆３を接合する被覆収容孔６３を有している。基体６１の外周は、凹凸を形成することにより、外部光が入射し難く、かつ、内部からの光信号が外部に放射し難くしている。特に、本実施の形態においては、基体６１を着色した合成樹脂とすることができる。なお、両面テープ６４は基体６１の接合面６５をポータブルトイレ３０の受光部５０または遠隔操作器４０の発光部４１に接合するものである。
【００３３】
同様に、図５に示す光伝送端本体７０の基体７１は、光ケーブル１の芯線２及び被服３を接着剤で接合して一体化するものである。そのため、基体７１の中央には、芯線２を接合する中空孔７２、被覆３を接合する被覆収容孔７３を有している。基体７１の外周は、凹凸を形成することにより、外部光が入射し難く、かつ、内部からの光信号が外部に放射し難くしている。基体７１を着色した合成樹脂とすることができる。なお、両面テープ７４は基体７１の接合面７５をポータブルトイレ３０の受光部５０または遠隔操作器４０の発光部４１に接合するものである。特に、本実施の形態においては、被覆３を接合する被覆収容孔７３の周囲に環状の空洞７７を形成し、その境界面で屈折率が異なる面が形成されるから、反射が発生し、外部と内部との間で光の伝達が遮断されるので、基体７１を透明体とし、かつ、基体７１の外周の凹凸を少なくしたり、なくしたりすることができる。
【００３４】
［実施の形態４］
図６は本発明の実施の形態４における光結合制御装置の光伝送端本体を形成する基体の平面図（ａ）及びその中央横断面図（ｂ）、左側面図（ｃ）である。
上記実施の形態１では、光伝送端本体１０の接合面１５と光ケーブル１の基体１１に対する接合が平行する形態のものであり、上記実施の形態２．３では、光伝送端本体１０の接合面１５と光ケーブル１の基体１１内の端部の交点角度が直角の形態であるが、光ケーブル１の引き回しに方向性がある場合及び人、動物等が接触しやすい場合、方向性を持つ場合には、角丸に面取りした形態の使用が望ましい。
図６に示す光伝送端本体８０の基体８１は、光ケーブル１の芯線２及び被覆３を接着剤で接合して一体化するものである。基体８１の中央には、芯線２を接合する中空孔８２、被覆３を接合する被覆収容孔８３を有している。基体８１の外周は、外部光が入射し難く、かつ、内部からの光信号が外部に放射し難く金属薄膜からなる光遮蔽部８６等の表面処理を施している。なお、両面テープ８４は基体８１の接合面８５を、例えば、ポータブルトイレ３０の受光部５０または遠隔操作器４０の発光部４１に接合するものである。特に、本実施の形態においては、空洞８７を形成し、その境界面で屈折率が異なる面が形成され、それによって芯線２の赤外線を閉じ込めている。
【００３５】
［実施の形態５］
実施の形態１及び実施の形態４においても、光の伝送効率をよくすることができる。また、ポータブルトイレ３０の受光部５０または遠隔操作器４０の発光部４１とのサイズ合わせは、次のようにすることができる。
図７は本発明の実施の形態５における光結合制御装置の光伝送端本体の要部断面図であり、図１（ｂ）の断面図に相当する。
光伝送端本体９０の基体９１の外周は、一面を除きスパッタリングによって表面処理として金属薄膜からなる光遮蔽部９３が形成されている。この基体９１の表面処理は、基体９１に光が出入りし難くするものである。また、基体９１の表面処理されていない下面の接合面９５には、両面テープ９４が接合されている。図示の両面テープ９４は剥離紙を剥した状態を示したものである。両面テープ９４は中空孔９２の周囲に貼られている。
【００３６】
ここで、光伝送端本体９０の基体９１は、透明な合成樹脂からなり、全体が円柱状になっており、その中央には、内部を中空にした孔である中空孔９２が形成されている。光ケーブル１の一端は、中空孔９２が形成されている基体９１にインサート成型され、芯線２の端部が中空孔９２の略中心線に沿った配置となっている。即ち、芯線２の端部は、中空孔９２の長さ方向に沿って曲げられて接合される。即ち、基体９１内に芯線２を挿入し、先端が彎曲した状態で接着するものである。したがって、芯線２の端部が中空孔９２の略中心線に沿った配置となり、光ケーブル１の端部は、接合面側に対向する端部とすることができ、光の伝送特性をよくすることができる。
【００３７】
また、環状の調整リング９０Ａ及び調整リング９０Ｂは、例えば、ポータブルトイレ３０の受光部５０または遠隔操作器４０の発光部４１とのサイズ合わせを行うもので、本実施の形態では、両面テープ９４Ａ及び両面テープ９４Ｂで接合しているが、基体９１、調整リング９０Ａ、調整リング９０Ｂに捩子を形成し、その捩子で結合させるようにすることもできる。これによって、基体９１の径を５〜１０ｍｍとし、複数の調整リング９０Ａ及び調整リング９０Ｂによって任意のサイズとすることができる。
なお、複数の調整リング９０Ａ及び調整リング９０Ｂは、２段の実施の形態で説明したが、更に、段数を増加させることができる。また、その材料としても、合成樹脂、金属、マグネット等で形成することもできる。
【００３８】
上記各実施の形態のように、光伝送端本体１０と光伝送端本体２０、光伝送端本体６０，７０，８０，９０は、実質的に同一構造のものであっても、互いにその構造を異にしてもよい。
また、上記実施の形態における基体１１，２１，６１，７１，８１，９１の接合面１５，２５，６５，７５，８５，９５は、両面テープ１４，２４，６４，７４，８４，９４，９４Ａ，９４Ｂで接着する場合について説明したが、本発明を実施する場合には、接着剤、吸着盤、マグネット、機械的固着手段等とすることもできる。
【００３９】
上記実施の形態における光結合制御装置によれば、光信号を伝送する合成樹脂からなる光ケーブル１の一端には、金属薄膜等からなる光遮蔽部１３，８６，９３によって外部からの光の入射及び内部からの光の放射を阻止する処理を施した遠隔操作器４０等の遠隔操作器の発光部４１に接合面１５，６５，７５，８５，９５を介して受光する光伝送端本体１０を有し、光ケーブル１の他端には、同様に、外部からの光の入射及び内部からの光の放射を阻止する処理を施した内蔵機器を制御するポータブルトイレ３０、テレビ等の機器本体の受光部５０からの光信号を光ケーブル１の他端部に導入する接合面２５，６５，７５，８５，９５を有する光伝送端本体２０を有するものである。
【００４０】
即ち、上記実施の形態は、遠隔操作器４０の発光部４１とポータブルトイレ３０等からなる機器本体の受光部５０との間に介装され、発光部４１から発せられた光信号を受光部５０に伝送する光結合制御装置であって、合成樹脂製の光ケーブル１の一端部が導入される中空孔１２，６２，７２，８２，９２等からなる第１導入部、発光部４１に接合されて前記光信号を導入する接合面１５，６５，７５，８５，９５及び光ケーブル１の一端部と中空孔１２，６２，７２，８２，９２等からなる第１導入部との間に設けられた光遮蔽部１３とからなる光伝送端本体１０，６０，７０，８０，９０と、光ケーブル１の他端部が導入される中空孔２２，６２，７２，８２，９２等からなる第２導入部、受光部５０に接合されて光信号を導出する第２接合面２５，６５，７５，８５，９５及び光ケーブル１の他端部と中空孔２２，６２，７２，８２，９２等からなる導入部との間に設けられた光遮蔽部２３とからなる光伝送端本体２０，６０，７０，８０，９０とを備えた構成要件とすることができる。
【００４１】
そして、光ケーブル１は、合成樹脂からなる光信号を伝送するものであるから、素人がペンチ等で切断しても、その粉体の処理に危惧することがない。また、光ケーブル１の長さを長くしても損失が少ないから、汎用性を持たせることができ、かつ、制御の信頼性を向上させることができる。
更に、前記光信号は、赤外線としたものでは、既存のリモコン等の遠隔操作器に使用が可能であり、外部からの光の入射及び内部からの光の放射を阻止する表面処理が廉価に選択できる。
【００４２】
更にまた、光ケーブル１の端部は、遠隔操作器４０の発光部４１及びポータブルトイレ３０、テレビ等の機器本体の受光部５０に対向する端部としたものであるから、端部をポータブルトイレ３０、テレビ等の機器本体の受光部５０またはポータブルトイレ３０、テレビ等の機器本体の受光部５０側に対向するものであるから、光の伝送効率をよくすることができる。特に、光ケーブル１の一端部は発光部４０と対向しているものでは入力効率がよく、光ケーブル１の他端部は受光部５０と対向しているものでは、出力効率がよい。勿論、光ケーブル１の一端部及び他端部が発光部４０及び受光部５０と対向しているのが望ましい。
【００４３】
加えて、光ケーブル１の端部の接合面１５，２５，６５，７５，８５，９５側は、ポータブルトイレ３０、テレビ等の機器本体の受光部５０及びポータブルトイレ３０、テレビ等の機器本体の受光部５０側に対向する端部のサイズに調整可能としたものであるから、任意のサイズの遠隔操作器４０の発光部４１及びポータブルトイレ３０、テレビ等の機器本体の受光部５０に取付けることができる。
【図面の簡単な説明】
【００４４】
【図１】図１は本発明の実施の形態１における光結合制御装置の全体平面図（ａ）及び一部断面を有する正面図（ｂ）である。
【図２】図２はポーダルトイレ及びその遠隔操作器の説明図である。
【図３】図３は本発明の実施の形態１における光結合制御装置を使用したポーダルトイレ及びその遠隔操作器の説明図である。
【図４】図４は本発明の実施の形態２における光結合制御装置の光伝送端本体を形成する基体の平面図（ａ）及び一部断面を含む正面図（ｂ）である。
【図５】図５は本発明の実施の形態３における光結合制御装置の光伝送端本体を形成する基体の平面図（ａ）及び一部断面を含む正面図（ｂ）である。
【図６】図６は本発明の実施の形態４における光結合制御装置の光伝送端本体を形成する基体の平面図（ａ）及びその中央横断面図（ｂ）、左側面図（ｃ）である。
【図７】図７は図１（ｂ）の断面図に相当する本発明の実施の形態５における光結合制御装置の光伝送端本体の要部断面図である。
【符号の説明】
【００４５】
１    光ケーブル
１０    光伝送端本体（第１光伝送端本体）
１１，２１，６１，７１，８１，９１    基体
１２    中空孔（第１導入部）
２２    中空孔（第２導入部）
１３，２３，８６，９３      光遮蔽部
１５，２５，６５，７５，８５，９５    接合面
２０    光伝送端本体（第２光伝送端本体）
３０    ポータブルトイレ
４０    遠隔操作器
４１    発光部
５０    受光部
６０，７０，８０，９０      光伝送端本体
６２，７２，８２，９２    中空孔（第１導入部，第２導入部）
【図１】
2007243785.tif 000003
【図２】
2007243785.tif 000004
【図３】
2007243785.tif 000005
【図４】
2007243785.tif 000006
【図５】
2007243785.tif 000007
【図６】
2007243785.tif 000008
【図７】
2007243785.tif 000009